(57)【要約】【課題】適切に選択された縮小画像を表示する。【解決手段】画像ファイルを選択するための選択条件を含む選択条件情報を外部から取得する選択条件取得部と、選択条件情報に基づいて外部記憶装置に記憶された複数の画像ファイルのうち少なくとも１つの画像ファイルを選択する選択部と、選択された少なくとも１つの画像ファイルを代表する縮小画像を生成する縮小画像生成部と、選択された少なくとも１つの画像ファイルのそれぞれの縮小画像を表示させる表示制御部と、を備える情報表示装置を提供する。【選択図】図１
2014146129.tif 000002
【特許請求の範囲】
【請求項１】
画像ファイルを選択するための選択条件を含む選択条件情報を外部から取得する選択条件取得部と、
前記選択条件情報に基づいて外部記憶装置に記憶された複数の画像ファイルのうち少なくとも１つの画像ファイルを選択する選択部と、
選択された前記少なくとも１つの画像ファイルを代表する縮小画像を生成する縮小画像生成部と、
選択された前記少なくとも１つの画像ファイルのそれぞれの縮小画像を表示させる表示制御部と、
を備える情報表示装置。
【請求項２】
前記選択部は、前記外部記憶装置から前記選択条件情報を取得して、前記少なくとも１つの画像ファイルを選択する
請求項１に記載の情報表示装置。
【請求項３】
前記選択部は、前記外部記憶装置とは異なる装置から前記選択条件情報を取得して、前記少なくとも１つの画像ファイルを選択する
請求項１に記載の情報表示装置。
【請求項４】
前記選択部は、前記画像ファイルの作成者もしくは前記画像ファイルを作成した機器を選択条件として含む前記選択条件情報に基づき、前記少なくとも１つの画像ファイルを選択する
請求項１から３の何れか１項に記載の情報表示装置。
【請求項５】
前記選択部は、前記画像ファイルを作成、編集もしくはアクセスした日時を選択条件として含む前記選択条件情報に基づき、前記少なくとも１つの画像ファイルを選択する
請求項１から４の何れか１項に記載の情報表示装置。
【請求項６】
前記選択部は、前記画像ファイルのサイズを選択条件として含む前記選択条件情報に基づき、前記少なくとも１つの画像ファイルを選択する
請求項１から５の何れか１項に記載の情報表示装置。
【請求項７】
前記選択部は、前記画像ファイルの種類を選択条件として含む前記選択条件情報に基づき、前記少なくとも１つの画像ファイルを選択する
請求項１から６の何れか１項に記載の情報表示装置。
【請求項８】
前記選択部は、前記画像ファイルの名称を選択条件として含む前記選択条件情報に基づき、前記少なくとも１つの画像ファイルを選択する
請求項１から７の何れか１項に記載の情報表示装置。
【請求項９】
前記選択部は、前記画像ファイルの保存場所を選択条件として含む前記選択条件情報に基づき、前記少なくとも１つの画像ファイルを選択する
請求項１から８の何れか１項に記載の情報表示装置。
【請求項１０】
画像ファイルを選択するための選択条件を含む選択条件情報を外部から取得する選択条件取得ステップと、
前記選択条件情報に基づいて外部記憶装置に記憶された複数の画像ファイルのうち少なくとも１つの画像ファイルを選択する選択ステップと、
選択された前記少なくとも１つの画像ファイルを代表する縮小画像を生成する縮小画像生成ステップと、
選択された前記少なくとも１つの画像ファイルのそれぞれの縮小画像を表示させる表示制御ステップと、
を含む情報表示方法。
【請求項１１】
コンピュータを
画像ファイルを選択するための選択条件を含む選択条件情報を外部から取得する選択条件取得部と、
前記選択条件情報に基づいて外部記憶装置に記憶された複数の画像ファイルのうち少なくとも１つの画像ファイルを選択する選択部と、
選択された前記少なくとも１つの画像ファイルを代表する縮小画像を生成する縮小画像生成部と、
選択された前記少なくとも１つの画像ファイルのそれぞれの縮小画像を表示させる表示制御部
として機能させるためのプログラム。
【発明の詳細な説明】
【技術分野】
【０００１】
この発明は、画像ファイルの縮小画像を表示する情報表示装置、方法およびプログラムに関する。
【背景技術】
【０００２】
情報処理端末では、画像ファイルの検索結果を表示する場合、ファイル名等の文字に加えて、その画像ファイルの代表的な画像を表すサムネイル等と呼ばれる縮小画像を表示する場合がある。これにより、情報処理端末は、画像ファイルの存在および内容を直感的にユーザに認識させることができる。
【０００３】
しかし、大量の画像ファイルを検出すると、情報処理端末は、縮小画像を表示するための処理量が多くなり、表示に長時間を要してしまう。さらに、ユーザも、縮小画像の表示結果から目的の画像ファイルを見つけ出すのに長時間を要してしまう。
【０００４】
特許文献１には、情報処理端末に予め条件を設定しておき、設定された条件で表示すべき縮小画像を絞り込むことにより、縮小画像の表示処理の負荷を軽減する方法が記載されている。この方法によれば、情報処理端末は処理負担が軽減し、ユーザは縮小画像の表示数が限定されて容易に目的の画像ファイルを見つけ出すことができる。
【発明の概要】
【発明が解決しようとする課題】
【０００５】
しかし、特許文献１に記載の方法では、縮小画像を選択するための条件は、情報処理端末において事前に定められている。このため、この方法では、例えば個人が保有する外部記憶装置（例えば、ＵＳＢ（Universal  Serial  Bus）メモリ）内の大量の画像ファイルを、共有の機器（例えば共有のコンピュータまたはプロジェクタ等）上に表示する際に、表示すべき縮小画像が適切に選択されない場合があった。
【０００６】
本発明は、上記に鑑みてなされたものであって、適切に選択された縮小画像を表示する情報表示装置、方法およびプログラムを目的とする。
【課題を解決するための手段】
【０００７】
上述した課題を解決し、目的を達成するために、本発明に係る情報表示装置は、画像ファイルを選択するための選択条件を含む選択条件情報を外部から取得する選択条件取得部と、前記選択条件情報に基づいて外部記憶装置に記憶された複数の画像ファイルのうち少なくとも１つの画像ファイルを選択する選択部と、選択された前記少なくとも１つの画像ファイルを代表する縮小画像を生成する縮小画像生成部と、選択された前記少なくとも１つの画像ファイルのそれぞれの縮小画像を表示させる表示制御部と、を備える。
【０００８】
また、本発明に係る情報表示方法は、画像ファイルを選択するための選択条件を含む選択条件情報を外部から取得する選択条件取得ステップと、前記選択条件情報に基づいて外部記憶装置に記憶された複数の画像ファイルのうち少なくとも１つの画像ファイルを選択する選択ステップと、選択された前記少なくとも１つの画像ファイルを代表する縮小画像を生成する縮小画像生成ステップと、選択された前記少なくとも１つの画像ファイルのそれぞれの縮小画像を表示させる表示制御ステップと、を含む。
【０００９】
また、本発明に係るプログラムは、コンピュータを、画像ファイルを選択するための選択条件を含む選択条件情報を外部から取得する選択条件取得部と、前記選択条件情報に基づいて外部記憶装置に記憶された複数の画像ファイルのうち少なくとも１つの画像ファイルを選択する選択部と、選択された前記少なくとも１つの画像ファイルを代表する縮小画像を生成する縮小画像生成部と、選択された前記少なくとも１つの画像ファイルのそれぞれの縮小画像を表示させる表示制御部と、を備える情報表示装置として機能させる。
【発明の効果】
【００１０】
本発明によれば、適切に選択された縮小画像を表示することができる。
【図面の簡単な説明】
【００１１】
【図１】図１は、本実施形態に係る情報表示システム１０の機能ブロック構成を示す図である。
【図２】図２は、本実施形態の変形例に係る情報表示システム１０の機能ブロック構成を示す図である。
【図３】図３は、画像情報に記述される画像ファイルの属性を示す図である。
【図４】図４は、画像情報の具体的な記述例を示す図である。
【図５】図５は、選択条件情報の具体的な記述例を示す図である。
【図６】図６は、本実施形態に係る情報表示装置３０の処理フローを示す図である。
【図７】図７は、選択条件として作成者が特定されている場合の選択前の画像情報および選択後の画像情報の一例を示す図である。
【図８】図８は、選択条件として画像ファイルの作成の日時が特定されている場合の選択前の画像情報および選択後の画像情報の一例を示す図である。
【図９】図９は、選択条件として画像ファイルのサイズが特定されている場合の選択前の画像情報および選択後の画像情報の一例を示す図である。
【図１０】図１０は、選択条件として画像ファイルの種類が特定されている場合の選択前の画像情報および選択後の画像情報の一例を示す図である。
【図１１】図１１は、選択条件として画像ファイルの名称が特定されている場合の選択前の画像情報および選択後の画像情報の一例を示す図である。
【図１２】図１２は、選択条件として画像ファイルの保存場所が特定されている場合の選択前の画像情報および選択後の画像情報の一例を示す図である。
【図１３】図１３は、選択条件として画像ファイルの作成者およびサイズのＡＮＤ条件が特定されている場合の選択前の画像情報および選択後の画像情報の一例を示す図である。
【図１４】図１４は、外部記憶装置２０内の全ての画像ファイルの縮小画像を表示した場合の表示部３７の画面の一例を示す図である。
【図１５】図１５は、外部記憶装置２０内の画像ファイルのうち、選択条件情報に基づき選択された画像ファイルの縮小画像を表示した場合の表示部３７の画面の一例を示す図である。
【発明を実施するための形態】
【００１２】
以下に、本実施形態を図面に基づいて詳細に説明する。なお、この実施形態によりこの発明が限定されるものではない。
【００１３】
図１は、本発明の実施形態に係る情報表示システム１０の機能ブロック構成を示す図である。情報表示システム１０は、外部記憶装置２０と、情報表示装置３０とを備える。
【００１４】
外部記憶装置２０は、電子データを記憶するための装置であって、例えばユーザにより持ち運びが可能なＵＳＢメモリ等である。外部記憶装置２０は、情報表示装置３０に取り付けられ、取り付けられた状態において情報表示装置３０の記憶装置として機能する。
【００１５】
外部記憶装置２０は、記憶部２１と、通信部２２とを有する。記憶部２１は、複数の画像ファイル、画像情報および選択条件情報を記憶する。画像ファイルは、一例として、静止画像のファイルである。画像ファイルは、動画像のファイルであってもよいし、プレゼンテーションデータ等のファイルであってもよい。
【００１６】
画像情報には、記憶部２１に記憶されている複数の画像ファイルのそれぞれの属性が記述される。画像情報は、一例として、ユーザが画像ファイルを新たに生成または編集する毎に、その画像ファイルについての内容が更新される。なお、画像情報の更なる詳細については後述する。
【００１７】
選択条件情報は、画像ファイルを選択するための選択条件を含む情報である。選択条件情報は、外部記憶装置２０の情報表示装置３０への取り付けに先立って、例えば外部記憶装置２０の所有者等により予め作成される。なお、選択条件情報の更なる詳細については後述する。
【００１８】
通信部２２は、記憶部２１内のデータを情報表示装置３０との間で授受するための回路である。通信部２２は、一例として、ＵＳＢインターフェイス回路である。
【００１９】
情報表示装置３０は、電子データを表示するための装置であって、例えばプロジェクタ装置である。また、情報表示装置３０は、コンピュータ装置であってもよいし、タブレット型等の小型情報端末であってもよい。情報表示装置３０は、外部記憶装置２０が取り付けられたことに応じて、この外部記憶装置２０を記憶装置として使用する。
【００２０】
情報表示装置３０は、通信部３１と、選択条件取得部３２と、画像情報取得部３３と、選択部３４と、縮小画像生成部３５と、表示制御部３６と、表示部３７とを有する。通信部３１は、記憶部２１内のデータを外部記憶装置２０との間で授受するための回路である。通信部３１は、一例として、ＵＳＢインターフェイス回路である。
【００２１】
選択条件取得部３２は、外部記憶装置２０から選択条件情報を、通信部２２および通信部３１を介して取得する。選択条件取得部３２は、一例として、外部記憶装置２０が情報表示装置３０に取り付けられたことに応じて、選択条件情報を自動的に取得する。画像情報取得部３３は、外部記憶装置２０から画像情報を、通信部２２および通信部３１を介して取得する。画像情報取得部３３は、一例として、外部記憶装置２０が情報表示装置３０に取り付けられたことに応じて、画像情報を自動的に取得する。
【００２２】
選択部３４は、選択条件取得部３２により取得された選択条件情報および画像情報取得部３３により取得された画像情報に基づいて、外部記憶装置２０に記憶された複数の画像ファイルのうち少なくとも１つの画像ファイルを選択する。縮小画像生成部３５は、選択部３４によって選択された少なくとも１つの画像ファイルのそれぞれについて、当該画像ファイルを代表する縮小画像を生成する。
【００２３】
縮小画像生成部３５は、一例として、画像ファイルが静止画像であれば、解像度を低下させることにより縮小画像を生成する。また、縮小画像生成部３５は、画像ファイルが動画像またはプレゼンテーションデータであれば、例えば、予め定められた位置のフレームまたはページ（例えば先頭フレームまたは先頭のページ）を所定の解像度に変換することにより、縮小画像を生成する。
【００２４】
表示制御部３６は、縮小画像生成部３５により生成された縮小画像を表示部３７上に表示させる。表示部３７は、表示制御部３６による制御に応じて縮小画像を表示する。なお、情報表示装置３０の選択条件取得部３２、画像情報取得部３３、選択部３４、縮小画像生成部３５および表示制御部３６は、ＣＰＵ（Central  Processing  Unit）などの処理装置にプログラムを実行させること、すなわち、ソフトウェアにより実現してもよい。また、これらは、ＩＣ（Integrated  Circuit）などのハードウェアにより実現してもよいし、ソフトウェアおよびハードウェアを併用して実現してもよい。
【００２５】
図２は、変形例に係る情報表示システム１０の機能ブロック構成を示す図である。情報表示システム１０は、図１の構成に代えて、図２に示すような構成であってもよい。図２に示す構成の情報表示システム１０は、外部記憶装置２０と、情報表示装置３０と、サーバ４０とを備える。
【００２６】
図２に示す外部記憶装置２０は、記憶部２１が選択条件情報を記憶していない点において異なるが、他の点については、図１に示す外部記憶装置２０と同一の機能および構成を有する。サーバ４０は、外部記憶装置２０とは異なる記憶装置であり、例えば情報表示装置３０とネットワークを介して接続される。サーバ４０は、記憶部４１と、通信部４２とを有する。記憶部４１は、画像ファイルを選択するための選択条件を含む選択条件情報を記憶する。通信部４２は、記憶部４１内の選択条件情報をネットワークを介して情報表示装置３０へと送信する。
【００２７】
このような情報表示システム１０において、選択条件取得部３２は、外部記憶装置２０が情報表示装置３０に取り付けられた場合において、外部記憶装置２０内に選択条件情報が存在しないときは、サーバ４０から選択条件情報を取得する。これにより、図２に示される情報表示システム１０は、選択条件情報を外部記憶装置２０以外の他の場所に記憶させておくことができる。
【００２８】
図３は、画像情報に記述される画像ファイルの属性の一例を示す図である。画像情報には、画像ファイルの属性として、例えば、ＩＤ５１、名称５２、保存場所５３、作成日時５４、最終編集日時５５、最終アクセス日時５６、サイズ５７、種類５８、作成者５９、機器名６０およびソフトウェア名６１が記述される。
【００２９】
ＩＤ５１は、外部記憶装置２０内に記憶されている画像ファイルの通し番号である。名称５２は、画像ファイルの名称である。保存場所５３は、画像ファイルの外部記憶装置２０における記憶場所である。
【００３０】
作成日時５４は、画像ファイルが作成された日時である。最終編集日時５５は、画像ファイルが最後に編集された日時である。最終アクセス日時５６は、画像ファイルが最後にアクセスされた日時である。サイズ５７は、画像ファイルのサイズである。
【００３１】
種類５８は、画像ファイルのファイル種類である。種類は、一例として、ＪＰＥＧまたはＭＰＥＧ等のファイル種類である。作成者５９は、画像ファイルを作成した人の名称である。機器名６０は、画像ファイルを作成および画像を作成した機器の名称である。ソフトウェア名６１は、画像ファイルの生成および編集に用いられたソフトウェアであって、最後に用いられたものの名称である。
【００３２】
図４は、画像情報の具体的な記述例を示す図である。画像情報は、一例として、図４に示されるようなマークアップ言語により記述される。このような画像情報が用いられることにより、情報表示装置３０は、特殊なアルゴリズムを適用することなく画像情報の内容を解釈することができる。
【００３３】
図５は、選択条件情報の具体的な記述例を示す図である。選択条件情報には、特定の属性を有する画像ファイルを選択するための選択条件が記述される。
【００３４】
より具体的には、選択条件情報は、図５に示されるようなプログラムコードで記述される。すなわち、選択条件情報は、画像ファイルの属性の値もしくは範囲を記述した条件判断コードと、条件に一致した場合の処理（例えば縮小画像を表示する処理）と、条件に不一致の場合の処理（例えば縮小画像を非表示とする処理）を示したコードとを含む。また、この場合において、条件判断コードは、ＡＮＤ演算およびＯＲ演算等の論理演算式を用いて、複数の属性の値もしくは範囲を組み合わせた判断を実行させるコードであってもよい。
【００３５】
そして、選択部３４は、図４で示した各画像ファイルのそれぞれの画像情報を、パラメータとして図５のコードに代入する。これにより、選択部３４は、画像ファイルのそれぞれについて縮小画像を表示するか非表示とするかを判断することができる。このように、情報表示装置３０は、特殊なアルゴリズムを適用することなく、選択条件に応じた処理を実行することができる。
【００３６】
図６は、本実施形態に係る情報表示装置３０の処理フローを示す図である。情報表示装置３０は、外部記憶装置２０が取り付けられたことに応じて、図６に示すステップＳ１１からステップＳ２０の処理を実行する。
【００３７】
まず、ステップＳ１１において、選択条件取得部３２は、通信部２２，３１を介して、外部記憶装置２０の記憶部２１内から選択条件情報を取得する。なお、外部記憶装置２０内に選択条件情報が存在しない場合には、選択条件取得部３２は、ネットワーク上における予め定められた場所のサーバ４０の記憶部４１内から選択条件情報を取得する。続いて、ステップＳ１２において、選択条件取得部３２は、取得した選択条件情報を選択部３４に登録する。
【００３８】
続いて、ステップＳ１３において、画像情報取得部３３は、通信部２２，３１を介して、外部記憶装置２０の記憶部２１内から画像情報を取得する。続いて、ステップＳ１４において、画像情報取得部３３は、取得した画像情報を選択部３４に登録する。
【００３９】
続いて、ステップＳ１５において、選択部３４は、画像情報および選択条件情報に基づき、外部記憶装置２０に記憶されている複数の画像ファイルのうち選択条件に一致する属性を有する少なくとも１つの画像ファイルを選択する。続いて、ステップＳ１６において、選択部３４は、選択結果を縮小画像生成部３５に登録する。
【００４０】
続いて、ステップＳ１７において、縮小画像生成部３５は、選択された画像ファイルを外部記憶装置２０の記憶部２１内から読み出す。続いて、ステップＳ１８において、縮小画像生成部３５は、読み出した画像ファイルから縮小画像を生成する。なお、縮小画像生成部３５は、画像ファイルの付加情報等として記憶部２１内にサムネイルが予め保存されている場合には、予め保存されているサムネイルを読み出して縮小画像を生成してもよい。
【００４１】
続いて、ステップＳ１９において、縮小画像生成部３５は、生成した縮小画像を表示制御部３６に登録する。そして、ステップＳ２０において、表示制御部３６は、登録された縮小画像を表示部３７上に表示する。
【００４２】
以上のように、本実施形態に係る情報表示システム１０は、情報表示装置３０が選択条件情報を外部から取得し、取得した選択条件情報に基づき縮小画像を選択して表示する。このことにより、情報表示システム１０によれば、例えば画像ファイルの作成者または編集者等によって選択条件情報に基づき、縮小画像を表示すべき画像ファイルを選択するので、適切に選択された縮小画像を表示することができる。
【００４３】
なお、選択条件取得部３２は、外部記憶装置２０が取り付けられたことに応じて、選択条件情報をユーザにより直接入力させたり、外部記憶装置２０から取得した選択条件情報をユーザに編集させたりしてもよい。これにより、情報表示装置３０は、外部記憶装置２０等に選択条件情報が存在しない場合または誤った選択条件が記述された選択条件情報が記憶されている場合にも、適切な縮小画像を表示することができる。
【００４４】
図７は、選択条件として作成者が特定されている場合の選択前の画像情報および選択後の画像情報の一例を示す図である。例えば、外部記憶装置２０には、図７の上の表の画像情報に示される属性を有する６個の画像ファイルが記憶されているとする。また、選択条件情報には、作成者が“Ｓａｔｏｈ”の画像ファイルを抽出して縮小画像を表示する選択条件が記述されているとする。
【００４５】
この場合、選択部３４は、画像ファイルの作成者を選択条件として含む選択条件情報に基づき、少なくとも１つの画像ファイルを選択する。より具体的には、選択部３４は、図７の下の表に示されるように、作成者が“Ｓａｔｏｈ”に一致する画像ファイルを選択する。これにより、情報表示装置３０は、例えば、会議等において画像ファイルを共有のプロジェクタに表示しながら発表する場合において、発表者自身が作成した画像ファイルのみをプロジェクタに縮小画像で表示させることができる。
【００４６】
また、選択条件情報に、機器名を抽出して縮小画像を表示する選択条件が記述されていてもよい。この場合には、情報表示装置３０は、発表者自身が所有する機器により作成または編集した個人的な画像ファイルの縮小画像を、共有のプロジェクタ等に表示させなくすることができる。
【００４７】
図８は、選択条件として画像ファイルの作成の日時が特定されている場合の選択前の画像情報および選択後の画像情報の一例を示す図である。例えば、外部記憶装置２０には、図８の上の表の画像情報に示される属性を有する６個の画像ファイルが記憶されているとする。また、選択条件情報には、作成日時が“平日（月曜日〜金曜日）”の画像ファイルを抽出して縮小画像を表示する選択条件が記述されているとする。
【００４８】
この場合、選択部３４は、画像ファイルの作成日時を選択条件として含む選択条件情報に基づき、少なくとも１つの画像ファイルを選択する。より具体的には、選択部３４は、図８の下の表に示されるように、作成日時が月曜日から金曜日までの日付に一致する画像ファイルを選択する。これにより、情報表示装置３０は、例えば会議において画像ファイルを共有のプロジェクタに表示する場合に、発表者が会社の業務時間に作成した画像ファイルの縮小画像を表示し、休日等に業務外で作成した画像ファイルの縮小画像の表示を禁止できる。
【００４９】
また、最終編集日時または最終アクセス日時が平日である画像ファイルを抽出して表示する選択条件が選択条件情報に記述されていてもよい。この場合にも、情報表示装置３０は、例えば、業務時間に編集またはアクセスした画像ファイルの縮小画像のみを共有のプロジェクタ等に表示させることができる。
【００５０】
図９は、選択条件として画像ファイルのサイズが特定されている場合の選択前の画像情報および選択後の画像情報の一例を示す図である。例えば、外部記憶装置２０には、図９の上の表の画像情報に示される属性を有する６個の画像ファイルが記憶されているとする。また、選択条件情報には、サイズが“１０００ｋｂ以下”となる画像ファイルを抽出して縮小画像を表示する選択条件が記述されているとする。
【００５１】
この場合、選択部３４は、画像ファイルのサイズを選択条件として含む選択条件情報に基づき、少なくとも１つの画像ファイルを選択する。より具体的には、選択部３４は、図９の下の表に示されるように、サイズが１０００ｋｂ以下である画像ファイルを選択する。これにより、情報表示装置３０は、例えば縮小画像の生成および表示のための処理量が大きくなる画像ファイルを表示対象から除き、短時間で縮小画像を表示させることができる。
【００５２】
図１０は、選択条件として画像ファイルの種類が特定されている場合の選択前の画像情報および選択後の画像情報の一例を示す図である。例えば、外部記憶装置２０には、図１０の上の表の画像情報に示される属性を有する５個の画像ファイルが記憶されているとする。また、選択条件情報には、種類が“ＪＰＥＧ”の画像ファイルを抽出して縮小画像を表示する選択条件が記述されているとする。
【００５３】
この場合、選択部３４は、画像ファイルの種類を選択条件として含む選択条件情報に基づき、少なくとも１つの画像ファイルを選択する。より具体的には、選択部３４は、図１０の下の表に示されるように、種類がＪＰＥＧである画像ファイルを選択する。これにより、情報表示装置３０は、例えば会議において発表するために作成したファイル種類の画像ファイルの縮小画像を表示させ、個人所有のソフトウェア等により作成した画像ファイルの表示を禁止することができる。
【００５４】
図１１は、選択条件として画像ファイルの名称が特定されている場合の選択前の画像情報および選択後の画像情報の一例を示す図である。例えば、外部記憶装置２０には、図１１の上の表の画像情報に示される属性を有する７個の画像ファイルが記憶されているとする。また、選択条件情報には、名称の先頭に“会議資料”を含む画像ファイルを抽出して縮小画像を表示する選択条件が記述されているとする。
【００５５】
この場合、選択部３４は、画像ファイルの名称を選択条件として含む選択条件情報に基づき、少なくとも１つの画像ファイルを選択する。より具体的には、選択部３４は、図１１の下の表に示されるように、名称の先頭に“会議資料”を含む画像ファイルのみを選択する。これにより、選択部３４は、例えば会議において発表するために意図的に付けた名称の画像ファイルを縮小画像で表示させることができる。
【００５６】
図１２は、選択条件として画像ファイルの保存場所が特定されている場合の選択前の画像情報および選択後の画像情報の一例を示す図である。例えば、外部記憶装置２０には、図１２の上の表の画像情報に示される属性を有する７個の画像ファイルが記憶されているとする。また、選択条件情報には、保存場所が“仕事／会議向け／紹介”のフォルダである画像ファイルを抽出して縮小画像を表示する選択条件が記述されているとする。
【００５７】
この場合、選択部３４は、画像ファイルの保存場所を選択条件として含む選択条件情報に基づき、少なくとも１つの画像ファイルを選択する。より具体的には、選択部３４は、図１２の下の表に示されるように、保存場所が“仕事／会議向け／紹介”のフォルダ内である画像ファイルのみを選択する。これにより、選択部３４は、例えば会議において発表するためのファイルを格納するフォルダに保存された画像ファイルのみを縮小画像で表示させることができる。
【００５８】
図１３は、選択条件として画像ファイルの作成者およびサイズのＡＮＤ条件が特定されている場合の選択前の画像情報および選択後の画像情報の一例を示す図である。例えば、外部記憶装置２０には、図１３の上の表の画像情報に示される属性を有する７個の画像ファイルが記憶されているとする。また、選択条件情報には、作成者が“Ｓａｔｏｈ”且つサイズが“１０００ｋｂ以下”である画像ファイルを抽出して縮小画像を表示する選択条件が記述されているとする。
【００５９】
このような場合、選択部３４は、複数の条件を論理積または論理和等により組み合わせた選択条件を含む選択条件情報に基づき、少なくとも１つの画像ファイルを選択する。より具体的には、選択部３４は、図１３の下の表に示されるように、作成者が“Ｓａｔｏｈ”であり且つサイズが“１０００ｋｂ以下”である画像ファイルのみを選択する。これにより、選択部３４は、より詳細に条件を特定して選択した画像ファイルの縮小画像を表示させることができる。
【００６０】
図１４は、外部記憶装置２０内の全ての画像ファイルの縮小画像を表示した場合の表示部３７の画面の一例を示す図である。図１５は、外部記憶装置２０内の画像ファイルのうち、選択条件情報に基づき選択された画像ファイルの縮小画像を表示した場合の表示部３７の画面の一例を示す図である。
【００６１】
情報表示装置３０は、外部記憶装置２０が取り付けられたときに、選択条件情報に関わらず、外部記憶装置２０に記憶されている全ての画像ファイルの縮小画像を生成して表示したとする。このような場合、情報表示装置３０は、図１４に示されるように、本来、例えば会議資料の画像ファイルの縮小画像７１、７２、７３のみを表示したいのにも関わらず、個人で作成した画像ファイルの縮小画像７４、７５も表示してしまう。
【００６２】
しかし、本実施形態に係る情報表示装置３０は、例えば外部記憶装置２０の保有者等により生成された選択条件情報を外部から取得して、この選択条件情報に含まれる選択条件に従って選択された一部の画像ファイルの縮小画像のみを表示する。従って、情報表示装置３０は、図１５に示されるように、本来表示を希望する会議資料の画像ファイルの縮小画像７１、７２、７３のみを表示することができる。
【００６３】
これにより、情報表示システム１０によれば、目的とする画像ファイルを適切に選択して、縮小画像を効率良く表示することができる。また、外部記憶装置２０の保有者が選択条件情報を生成するので、情報表示システム１０は、情報表示装置３０が共有の機器等であった場合であっても、外部記憶装置２０の保有者が意図する画像ファイルを選択して縮小画像を表示することができる。
【００６４】
なお、本実施の形態の情報表示装置３０で実行されるプログラムは、ＲＯＭ等に予め組み込まれて提供される。このプログラムは、インストール可能な形式または実行可能な形式のファイルで、ＣＤ−ＲＯＭ、フレキシブルディスク、ＣＤ−Ｒ、ＤＶＤ等のコンピュータで読取可能な記録媒体に記録して提供するように構成してもよい。
【００６５】
さらに、本実施の形態の情報表示装置３０で実行されるプログラムを、インターネット等のネットワークに接続されたコンピュータ上に格納し、ネットワーク経由でダウンロードさせることにより提供するように構成してもよい。また、本実施の形態の情報表示装置３０で実行されるプログラムをインターネット等のネットワーク経由で提供または配布するように構成してもよい。
【００６６】
本実施の形態の情報表示装置３０で実行されるプログラムは、上述した選択条件取得部３２、画像情報取得部３３、選択部３４、縮小画像生成部３５および表示制御部３６を含むモジュール構成となっている。実際のハードウェアとしてはＣＰＵが上記ＲＯＭからプログラムを読み出して実行することにより上記各部が主記憶装置上にロードされ、選択条件取得部３２、画像情報取得部３３、選択部３４、縮小画像生成部３５および表示制御部３６が主記憶装置上に生成されるようになっている。
【符号の説明】
【００６７】
１０  情報表示システム
２０  外部記憶装置
２１，４１  記憶部
２２，３１，４２  通信部
３０  情報表示装置
３２  選択条件取得部
３３  画像情報取得部
３４  選択部
３５  縮小画像生成部
３６  表示制御部
３７  表示部
４０  サーバ
【先行技術文献】
【特許文献】
【００６８】
【特許文献１】特開２００８−１４６１７７号公報
【図１】
2014146129.tif 000003
【図２】
2014146129.tif 000004
【図３】
2014146129.tif 000005
【図４】
2014146129.tif 000006
【図５】
2014146129.tif 000007
【図６】
2014146129.tif 000008
【図７】
2014146129.tif 000009
【図８】
2014146129.tif 000010
【図９】
2014146129.tif 000011
【図１０】
2014146129.tif 000012
【図１１】
2014146129.tif 000013
【図１２】
2014146129.tif 000014
【図１３】
2014146129.tif 000015
【図１４】
2014146129.tif 000016
【図１５】
2014146129.tif 000017